(57)【要約】      （修正有）【課題】店舗数を増やすことなく墓石の販売を実現することができる墓石の販売システムを提供する。【解決手段】サーバ５が、記憶装置８に記憶されているミニチュア墓石のリストを端末６からの要求に応じて該端末６に表示させる。そして、表示されたミニチュア墓石のリストから端末６において購入を希望するミニチュア墓石が選択された場合に、端末６からサーバ５に、購入者によって選択されたミニチュア墓石に関するデータ及び購入者に関する情報をデータ送信させ、選択されたミニチュア墓石の見本を購入者を受取人として発送する。【選択図】図２
2008033400.tif 000002
【特許請求の範囲】
【請求項１】
販売者側のサーバと購入者側の端末とがネットワークに通信可能に接続されたコンピュータシステムを用いた墓石の販売システムであって、
前記サーバは
該サーバの記憶手段に記憶されている墓石のリストを前記端末からの要求に応じて該端末に表示させる表示機能と、
前記表示機能で表示された墓石のリストから前記端末において購入を希望する墓石を選択させるとともに、購入者に関する情報を入力させる入力機能と、
前記端末から前記サーバに、前記購入者によって選択された墓石に関するデータ及び前記購入者に関する情報をデータ送信させる送信機能と、
前記送信機能において送信された前記墓石に関するデータ及び前記購入者に関する情報を前記記憶手段に記憶する記憶機能と、
前記墓石に関するデータ及び前記購入者に関する情報に基づいて前記選択された墓石の見本を前記購入者を受取人として発送するためのデータ処理を行う発送機能と
を有することを特徴とする墓石の販売システム。
【請求項２】
前記墓石は、ミニチュア墓石であることを特徴とする請求項１に記載の墓石の販売システム。
【請求項３】
前記墓石の見本は、前記墓石よりもサイズが小さく、かつ軽量であることを特徴とする請求項１又は請求項２に記載の墓石の販売システム。
【発明の詳細な説明】
【技術分野】
【０００１】
本発明は、墓石の販売システムであって、詳しくは、販売者がインターネットに接続されたサーバ上に墓石を販売するためのホームページを開設し、購入者が当該ホームページにアクセスして墓石の購入を希望した場合に当該墓石の見本を送付して墓石の販売を行うものである。
【背景技術】
【０００２】
従来より、墓石の販売は、実際に販売される墓石が陳列されている店舗における対面販売であった。これは、墓石の重量は墓石敷地の平均的な４m2タイプで２，５００キログラムから３，５００キログラムになるため通信販売等には適さないという理由によるものである。
【発明の開示】
【発明が解決しようとする課題】
【０００３】
しかしながら、こうした従来からなされている墓石の販売においては、１つの店舗でカバーできる販売地域には自ずと限界があり、顧客を増やすためには、所定の販売領域ごとに店舗を設ける必要があった。また、こうした販売形態では、購入者はわざわざ店舗まで足を運んで墓石の購入をしなければならないという煩雑さがあった。
本発明は、こうした問題点を解決するためになされたものである。その目的は、店舗数を増やすことなく墓石の販売を実現することができる墓石の販売システムを提供することにある。
【課題を解決するための手段】
【０００４】
請求項１の墓石の販売システムは、販売者側のサーバと購入者側の端末とがネットワークに通信可能に接続されたコンピュータシステム用いた墓石の販売システムであって、前記サーバは該サーバの記憶手段に記憶されている墓石のリストを前記端末からの要求に応じて該端末に表示させる表示機能と、前記表示機能で表示された墓石のリストから前記端末において購入を希望する墓石を選択させるとともに、購入者に関する情報を入力させる入力機能と、前記端末から前記サーバに、前記購入者によって選択された墓石に関するデータ及び前記購入者に関する情報をデータ送信させる送信機能と、前記送信機能において送信された前記墓石に関するデータ及び前記購入者に関する情報を前記記憶手段に記憶する記憶機能と、前記墓石に関するデータ及び前記購入者に関する情報に基づいて前記選択された墓石の見本を前記購入者を受取人として発送するためのデータ処理を行う発送機能とを有することを特徴とすることを特徴とする。
【０００５】
請求項２の墓石の販売システムは、請求項１の墓石の販売システムにおいて、前記墓石は、ミニチュア墓石であることを特徴とするものである。
請求項３の墓石の販売システムは、請求項１又は請求項２の墓石の販売システムにおいて、前記墓石の見本は、前記墓石よりもサイズが小さく、かつ軽量であることを特徴とするものである。
【発明の効果】
【０００６】
本発明によれば、店舗数を増やすことなく墓石の販売を実現することができる。
【発明を実施するための最良の形態】
【０００７】
以下、本発明を具体化した墓石の販売システムの一実施形態を図１〜図５にしたがって説明する。まず、墓石の構造の一例について説明する。墓石には研削機械等により研削されるとともに表面が研磨された花崗岩（御影石）が使用されている。図１に示すように、墓石は地面や基台等に載置される芝台１と、当該芝台１の上方に載置される中台２と、当該中台２の上方に載置される上台３と、当該上台３の上方に載置される棹石４とで構成されている。本実施形態における墓石は、通常墓地に設置されるものよりも小型かつ軽量である、いわゆるミニチュア墓石であり、その重量は１／２スケールで６００キログラム、１／３スケールで１６０キログラム、１／４スケールで７０キログラム、１／５スケールで３６キログラム程度である。また、見本として販売者から購入者に発送される墓石は、図１に示すミニチュア墓石と同じ構造であるが、見本のミニチュア墓石は原石の特性叉現品を忠実に縮小して加工する技術的な限界により１／６スケール(重量２０キログラム)程度であり、１ｃｍ(巾、厚さ)以下の加工箇所は芸術品の域の加工であり、その部分は未加工で同梱のカタログ図面等での確認となる。
【０００８】
次に、このように構成されているミニチュア墓石を販売するためのコンピュータシステムについて説明する。図２に示すように、販売者側のシステムは、サーバ５により構成されている。具体的に、ＷＷＷ（ワールド・ワイド・ウェブ）等のサーバ５は、購入者側の端末６が接続されているネットワークとしてのインターネット７に公衆電話回線を用いたＡＤＳＬ、光ファイバ等により接続されるとともに、ミニチュア墓石の販売者によって、墓石販売用のホームページが開設されている。そして、この販売者のホームページのコンテンツ等は、サーバ５が有する記憶装置８に格納されている。インターネット７には、クライアントコンピュータである購入者側の端末６が通信可能に接続されている。
【０００９】
サーバ５は、販売者側のシステムの、購入者に対する窓口となるものであり、記憶装置８に格納されているミニチュア墓石のリスト、情報、画像等を、インターネット７を介して、不特定多数の購入者等に公開する機能を有するとともに、購入者の所有する購入者側の端末６から販売者が選択されると、当該購入者側の端末６を販売者側のシステムに接続する。サーバ５をサーバコンピュータとして、インターネット７に接続された端末６をクライアントコンピュータとして、クライアントサーバーシステムが構築されている。サーバ５には、ネットワークＯＳがインストールされており、当該サーバ５はＷＷＷサーバ、メールサーバー、ファイルサーバ等として機能する。
【００１０】
また、サーバ５は、端末６から送信された、購入者によって入力されたデータを処理して、販売者にミニチュア墓石の購入希望者があった旨の表示をする。ここで、購入者によって入力されたデータには、購入者が購入を希望するミニチュア墓石の型番や、購入者の住所、氏名等が含まれている。端末６には、ＷＷＷブラウザがインストールされている。
【００１１】
次に、サーバ１の具体的な構成について説明する。図３に示すように、サーバ５には、バスによって相互に接続されたＣＰＵ９、ＲＡＭ１０、ＲＯＭ１１を有するコンピュータが備えられている。また、サーバ５には記憶手段としての記憶装置であるハードディスク８が接続されているとともに、外部装置との入出力おこなうインターフェイス１２が設けられている。このインターフェイス１２を介して、表示手段としてのディスプレイ１３が備えられている。また、入力手段としては、ポインテッドデバイスであるマウスやキーボード１４が備えられている。出力手段としては、プリンタ１５が備えられている。そして、送信手段としては、ファクシミリ送受信機１６が備えられている。
【００１２】
次に、ミニチュア墓石の販売方法を図４、５のフローチャートに基づいて説明する。図４に示すように、サーバ５は、処理を開始すると（スタート）、インターネット７から端末６等からサーバ５のウエブサイトへのアクセスを待ち受ける（Ｓ１）。そして、端末６からのアクセスがあるか否かを判断し（Ｓ２）、アクセスがなければアクセス待ち受けの状態を維持する（Ｓ１）。その一方、アクセスがあれば、そのアクセスがいかなる処理を要求するか判断する。
【００１３】
ここで、アクセスは、具体的にはサーバ５に付与されたＩＰアドレス若しくはＵＲＬに基づいてクライアントコンピュータである端末６からＴＣＰ／ＩＰによるＨＴＭＬのページ要求、ここではウエブサイトのホームページの要求をいい、サーバ５は、ウエブサイトから、その端末６に要求されたホームページを送信する（Ｓ３）。端末６に送信されて表示されたホームページは図示しないが、当該ホームページには、希望する処理に応じたボタンが準備されている。このボタンは例えば、ミニチュア墓石の「選択」「購入」等に対応するものが準備されており、マウスなどによってクリックされることで希望のページに移動して次の処理に移行する。
【００１４】
次に、購入者によってミニチュア墓石の「選択」のボタンがクリックされた場合（Ｓ４）、サーバ５は、記憶装置８に記憶されている発注可能なミニチュア墓石のリストを、端末６に表示させる（Ｓ５）。そして、購入者によって所望のミニチュア墓石に対応する図示しない「リクエスト」のボタンがクリックされた場合（Ｓ６）、その「リクエスト」のボタンに対応するミニチュア墓石が選択されて選択リストに追加される（Ｓ７）。このミニチュア墓石の選択処理は、図示しない「選択終了」のボタンが購入者によってクリックされるまで継続される（Ｓ８）。
【００１５】
ミニチュア墓石の選択が完了した場合、図５に示すように、サーバ５は、購入者に対して住所や電話番号、メールアドレス等の購入者に関する情報を入力することを要求する（Ｓ９）。これらの情報の入力が完了し、購入者によって図示しない「入力完了」のボタンがクリックされた場合（Ｓ１０）、サーバ５は、端末６からサーバ５に対して、選択されたミニチュア墓石に関する商品番号等のデータ及び購入者に関する情報をデータ送信させる（Ｓ１１）。
【００１６】
サーバ５は、端末６から選択されたミニチュア墓石に関する商品番号等のデータ及び購入者に関する情報を受信した場合、これらを記憶装置８に記憶する（Ｓ１２）。次に、当該情報に基づいて、発送のためのデータ処理を行う（Ｓ１３）。具体的に、サーバ５はミニチュア墓石についての見本を発送する図示しない販売者の管理サーバに、オンラインで発注する。
【００１７】
そして、販売者側のオペレータによって受注・発送手続が行われる。オペレータは、購入者が希望する選択されたミニチュア墓石についての見本、カタログ、物品購入契約書等
を購入者に対して発送する（Ｓ１４）。そして、ミニチュア墓石の購入申し込みがあった場合には（Ｓ１５）、販売者は当該ミニチュア墓石を製作し、購入者にミニチュア墓石が配送業者によって配送される（Ｓ１６）。これにより、ミニチュア墓石の製造方法に関する一連の手続が完了する（エンド）。
【００１８】
上記実施形態の墓石の販売システムによれば、以下のような効果を得ることができる。
・本実施形態によれば、ネットワークを利用してミニチュア墓石の販売を行うことができるため、所定の地域ごとに店舗を設ける必要がない。したがって、店舗数を増やすことなくミニチュア墓石の販売を実現することができる。
・本実施形態によれば、墓石は通常の墓石よりも小型のミニチュアであるために、通常のサイズの墓石に比べて輸送が容易である。また、設置場所が屋外に限定されることはなく、室内等の狭い空間であっても設置が可能となる。
・本実施形態によれば、購入者に発送される墓石の見本は、２０キログラム程度と墓石としては非常に軽量であってかつ小型であるため、梱包方法を改良すれば宅配便等の手段により通常の荷物と同様の態様によって発送することが可能である。
【００１９】
なお、上記実施形態は以下のように変更してもよい。
・ミニチュア墓石は、図１に示すようなものに限られることはなく、例えば、芝台１及び棹石４からなる二段タイプのものなどであってもよい。
・上記実施形態においては、クライアントサーバーシステムによってミニチュア墓石の販売を可能としたが、購入者の受注先をコンビニエンスストア等の代理店等としてもよい。
・サーバ５は、販売者が所有するものに限られることはなく、例えばインターネット・サービス・プロバイダ（ＩＳＰ）が所有するものであってもよい。
【図面の簡単な説明】
【００２０】
【図１】墓石の構成図。
【図２】墓石の販売システムの概略構成図。
【図３】サーバの構成図。
【図４】墓石の販売方法のフローチャート。
【図５】墓石の販売方法のフローチャート。
【符号の説明】
【００２１】
５        サーバ
６        端末
７        ネットワークとしてのインターネット
８        記憶手段としての記憶装置
【図１】
2008033400.tif 000003
【図２】
2008033400.tif 000004
【図３】
2008033400.tif 000005
【図４】
2008033400.tif 000006
【図５】
2008033400.tif 000007